【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局において、第１のサブフレームについて基準信号を生成することと、ここにおいて、前記生成することが、
システム帯域幅に依存しない所定の共通周波数を中心としてリソースブロック（ＲＢ）の固定セットについての前記基準信号の第１のシーケンスの中心を合わせることと、
システム帯域幅を満たすために、前記第１の基準信号シーケンスを中心とする基準信号を追加することと
を含む、
前記基地局によって、前記第１のサブフレーム中で前記基準信号をユーザ機器（ＵＥ）に送信することと
を備える、方法。
【請求項２】
前記所定の共通周波数は、前記基地局が存在する通信システムの共通セル探索帯域幅を含む、請求項１に記載の方法。
【請求項３】
前記基地局において、別のサブフレームについて第２の基準信号を生成することと、ここにおいて、前記第２の基準信号の第２のシーケンスが前記第１のシーケンスとは異なり、ここにおいて、前記第１のシーケンスが第１のシステムフレーム番号または第１のサブフレーム番号に関連し、前記第２のシーケンスが第２のシステムフレーム番号または第２のサブフレーム番号に関連する、
前記基地局によって、前記別のサブフレーム中で前記第２の基準信号を送信することと
をさらに含む、請求項１に記載の方法。
【請求項４】
ＲＢの前記固定セットについての前記第２のシーケンスが前記システム帯域幅に依存しない、請求項３に記載の方法。
【請求項５】
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
をさらに含む、請求項１に記載の方法。
【請求項６】
前記基地局において、前記ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
をさらに含む、請求項１に記載の方法。
【請求項７】
ワイヤレス通信の方法であって、
ユーザ機器（ＵＥ）において、第１のサブフレームにおいて基地局から基準信号を受信することと、
前記ＵＥによって、所定の共通周波数を中心とするリソースブロック（ＲＢ）の固定セット中の基準信号シーケンスを検出することと、ここにおいて、前記基準信号シーケンスがシステム帯域幅に依存しない、
前記ＵＥによって、前記基準信号シーケンスに基づいてチャネル推定値を生成することと、
前記ＵＥによって、前記チャネル推定値を使用して、前記基地局から受信された帯域幅情報搬送信号を復号することと
を備える、方法。
【請求項８】
前記所定の共通周波数は、前記ＵＥが存在する通信システムの共通セル探索帯域幅を含む、請求項７に記載の方法。
【請求項９】
前記基地局から現在のシステムフレーム番号（ＳＦＮ）または現在のサブフレーム番号を取得すること、ここにおいて、前記基準信号シーケンスを前記検出することが前記現在のＳＦＮまたは前記現在のサブフレーム番号に基づく、
をさらに含む、請求項７に記載の方法。
【請求項１０】
前記ＵＥにおいて、別のサブフレームにおいて前記基地局から第２の基準信号を受信することと、
前記基地局から前記別のサブフレームに関連する別のＳＦＮまたは別のサブフレーム番号を取得することと、
前記所定の共通周波数を中心とするＲＢの前記固定セット中の第２の基準信号シーケンスを検出することと、ここにおいて、前記検出することが前記別のＳＦＮに基づく、
前記第２の基準信号シーケンスに基づいて第２のチャネル推定値を生成することと、
前記チャネル推定値を使用して前記基地局からの第２の帯域幅情報搬送信号を復号することと
をさらに含む、請求項９に記載の方法。
【請求項１１】
前記第２の基準信号シーケンスが前記システム帯域幅に依存しない、請求項１０に記載の方法。
【請求項１２】
前記帯域幅情報搬送信号を前記復号することが、
前記基地局からの前記帯域幅情報搬送信号を搬送するＲＢのセット中の各ＲＢについての同じプリコーディングを使用して、前記帯域幅情報搬送信号を復号すること
を含む、請求項７に記載の方法。
【請求項１３】
前記帯域幅情報搬送信号を前記復号することが、
前記帯域幅情報搬送信号についての前記所定の共通周波数を中心とするＲＢの前記固定セットについてのプリコーディングパラメータの所定のセットを使用して、前記帯域幅情報搬送信号を復号すること、ここにおいて、前記ＵＥが、知られているプリコーディングシーケンスを使用してＲＢの前記固定セットの関連するＲＢを復号するために、プリコーディングパラメータの前記所定のセットから前記プリコーディングパラメータを選択する、
を含む、請求項７に記載の方法。
【請求項１４】
ワイヤレス通信のために構成された装置であって、
基地局において、第１のサブフレームについて基準信号を生成するための手段と、ここにおいて、生成するための前記手段が、
所定の共通周波数を中心としてリソースブロック（ＲＢ）の固定セットについての第１の基準信号シーケンスの中心を合わせるための手段と、
システム帯域幅を満たすために、前記第１の基準信号シーケンスを中心とする基準信号を追加するための手段と
を含む、
前記基地局によって、前記第１のサブフレーム中で前記基準信号をユーザ機器（ＵＥ）に送信するための手段と
を備える、装置。
【請求項１５】
ワイヤレス通信のために構成された装置であって、
ユーザ機器（ＵＥ）において、第１のサブフレームにおいて基地局から基準信号を受信するための手段と、
前記ＵＥによって、所定の共通周波数を中心とするリソースブロック（ＲＢ）の固定セット中の基準信号シーケンスを検出するための手段と、ここにおいて、前記基準信号シーケンスがシステム帯域幅に依存しない、
前記ＵＥによって、前記基準信号シーケンスに基づいてチャネル推定値を生成するための手段と、
前記ＵＥによって、前記チャネル推定値を使用して、前記基地局から受信された帯域幅情報搬送信号を復号するための手段と
を備える、装置。
【手続補正２】
【補正対象書類名】明細書
【補正対象項目名】００７９
【補正方法】変更
【補正の内容】
【００７９】
[0089]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信の方法であって、
基地局において、第１のサブフレームについて基準信号を生成することと、ここにおいて、前記生成することが、システム帯域幅に依存しない所定の共通周波数を中心としてリソースブロック（ＲＢ）の固定セットについての前記基準信号の第１のシーケンスの中心を合わせることを含む、
前記基地局によって、前記第１のサブフレーム中で前記基準信号を送信することと
を備える、方法。
［Ｃ２］
前記所定の共通周波数は、前記基地局が存在する通信システムの共通セル探索帯域幅を含む、Ｃ１に記載の方法。
［Ｃ３］
前記基地局において、別のサブフレームについて第２の基準信号を生成することと、ここにおいて、前記第２の基準信号の第２のシーケンスが前記第１のシーケンスとは異なり、ここにおいて、前記第１のシーケンスが第１のシステムフレーム番号または第１のサブフレーム番号に関連し、前記第２のシーケンスが第２のシステムフレーム番号または第２のサブフレーム番号に関連する、
前記基地局によって、前記別のサブフレーム中で前記第２の基準信号を送信することと
をさらに含む、Ｃ１に記載の方法。
［Ｃ４］
ＲＢの前記固定セットについての前記第２のシーケンスが前記システム帯域幅に依存しない、Ｃ３に記載の方法。
［Ｃ５］
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
をさらに含む、Ｃ１に記載の方法。
［Ｃ６］
前記基地局において、ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
をさらに含む、Ｃ１に記載の方法。
［Ｃ７］
ワイヤレス通信の方法であって、
ユーザ機器（ＵＥ）において、第１のサブフレームにおいて基地局から基準信号を受信することと、
前記ＵＥによって、所定の共通周波数を中心とするリソースブロック（ＲＢ）の固定セット中の基準信号シーケンスを検出することと、ここにおいて、前記基準信号シーケンスがシステム帯域幅に依存しない、
前記ＵＥによって、前記基準信号シーケンスに基づいてチャネル推定値を生成することと、
前記ＵＥによって、前記チャネル推定値を使用して、前記基地局から受信された帯域幅情報搬送信号を復号することと
を備える、方法。
［Ｃ８］
前記所定の共通周波数は、前記ＵＥが存在する通信システムの共通セル探索帯域幅を含む、Ｃ７に記載の方法。
［Ｃ９］
前記基地局から現在のシステムフレーム番号（ＳＦＮ）または現在のサブフレーム番号を取得すること、ここにおいて、前記基準信号シーケンスを前記検出することが前記現在のＳＦＮまたは前記現在のサブフレーム番号に基づく、
をさらに含む、Ｃ７に記載の方法。
［Ｃ１０］
前記ＵＥにおいて、別のサブフレームにおいて前記基地局から第２の基準信号を受信することと、
前記基地局から前記別のサブフレームに関連する別のＳＦＮまたは別のサブフレーム番号を取得することと、
前記所定の共通周波数を中心とするＲＢの前記固定セット中の第２の基準信号シーケンスを検出することと、ここにおいて、前記検出することが前記別のＳＦＮに基づく、
前記第２の基準信号シーケンスに基づいて第２のチャネル推定値を生成することと、
前記チャネル推定値を使用して前記基地局からの第２の帯域幅情報搬送信号を復号することと
をさらに含む、Ｃ９に記載の方法。
［Ｃ１１］
前記第２の基準信号シーケンスが前記システム帯域幅に依存しない、Ｃ１０に記載の方法。
［Ｃ１２］
前記帯域幅情報搬送信号を前記復号することが、
前記基地局からの前記帯域幅情報搬送信号を搬送するＲＢのセット中の各ＲＢについての同じプリコーディングを使用して、前記帯域幅情報搬送信号を復号すること
を含む、Ｃ７に記載の方法。
［Ｃ１３］
前記帯域幅情報搬送信号を前記復号することが、
前記帯域幅情報搬送信号についての前記所定の共通周波数を中心とするＲＢの前記固定セットについてのプリコーディングパラメータの所定のセットを使用して、前記帯域幅情報搬送信号を復号すること、ここにおいて、前記ＵＥが、知られているプリコーディングシーケンスを使用してＲＢの前記固定セットの関連するＲＢを復号するために、プリコーディングパラメータの前記所定のセットから前記プリコーディングパラメータを選択する、
を含む、Ｃ７に記載の方法。
［Ｃ１４］
ワイヤレス通信のために構成された装置であって、
基地局において、第１のサブフレームについて基準信号を生成するための手段と、ここにおいて、生成するための前記手段が、所定の共通周波数を中心としてリソースブロック（ＲＢ）の固定セットについての第１の基準信号シーケンスの中心を合わせるための手段を含む、
前記基地局によって、前記第１のサブフレーム中で前記基準信号をユーザ機器（ＵＥ）に送信するための手段と
を備える、装置。
［Ｃ１５］
前記所定の共通周波数は、前記基地局が存在する通信システムの共通セル探索帯域幅を含む、Ｃ１４に記載の装置。
［Ｃ１６］
前記基地局において、別のサブフレームについて第２の基準信号を生成するための手段と、ここにおいて、前記第２の基準信号の第２の基準信号シーケンスが前記第１の基準信号シーケンスとは異なり、ここにおいて、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記別のサブフレーム中で前記第２の基準信号を前記ＵＥに送信するための手段と
をさらに含む、Ｃ１４に記載の装置。
［Ｃ１７］
ＲＢの前記固定セットについての前記第２の基準信号シーケンスが前記システム帯域幅に依存しない、Ｃ１６に記載の装置。
［Ｃ１８］
前記基地局において、同じプリコーディングを使用して帯域幅情報搬送信号についてのＲＢのセットの各ＲＢをプリコーディングするための手段と、
ＲＢの前記プリコーディングされたセットを使用して前記帯域幅情報搬送信号を送信するための手段と
をさらに含む、Ｃ１４に記載の装置。
［Ｃ１９］
前記基地局において、前記ＵＥに知られている固定セットプリコーディングパラメータを使用して帯域幅情報搬送信号についてのＲＢのセットをプリコーディングするための手段と、
ＲＢの前記プリコーディングされたセットを使用して前記帯域幅情報搬送信号を送信するための手段と
をさらに含む、Ｃ１４に記載の装置。
［Ｃ２０］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
基地局において、第１のサブフレームについて基準信号を生成することと、ここにおいて、生成するための前記少なくとも１つのプロセッサの構成が、所定の共通周波数を中心としてリソースブロック（ＲＢ）の固定セットについての第１の基準信号シーケンスの中心を合わせるための構成を含む、
前記基地局によって、前記第１のサブフレーム中で前記基準信号をユーザ機器（ＵＥ）に送信することと
を行うように構成された、装置。
［Ｃ２１］
前記所定の共通周波数は、前記基地局が存在する通信システムの共通セル探索帯域幅を含む、Ｃ２０に記載の装置。
［Ｃ２２］
前記少なくとも１つのプロセッサは、前記基地局において、別のサブフレームについて第２の基準信号を生成することと、ここにおいて、前記第２の基準信号の第２の基準信号シーケンスが前記第１の基準信号シーケンスとは異なり、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記別のサブフレーム中で前記第２の基準信号を前記ＵＥに送信することと
を行うようにさらに構成された、Ｃ２０に記載の装置。
［Ｃ２３］
ＲＢの前記固定セットについての前記第２の基準信号シーケンスが前記システム帯域幅に依存しない、Ｃ２２に記載の装置。
［Ｃ２４］
前記少なくとも１つのプロセッサが、
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
を行うようにさらに構成された、Ｃ２０に記載の装置。
［Ｃ２５］
前記少なくとも１つのプロセッサが、
前記基地局において、前記ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
を行うようにさらに構成された、Ｃ２０に記載の装置。